(57)【要約】【課題】往復動する出力部を有しながら、振動を抑制することが可能である電動工具を提供する。【解決手段】レシプロソー１は、モータと、前記モータにより駆動される回転駆動軸４２と、回転駆動軸４２と噛み合う左クランク５０と、左クランク５０に対して偏心して駆動されるスライダ５８と、左クランク５０に対して偏心して駆動される左カウンタウェイト８０と、左クランク５０を回転可能に支持する左クランクベアリング５４と、を有しており、左クランクベアリング５４と左クランク５０の間に、左カウンタウェイト８０が配置されている。【選択図】図２
2015199167.tif 000002
【特許請求の範囲】
【請求項１】
モータと、
前記モータにより駆動される第１歯車と、
前記第１歯車と噛み合う第２歯車と、
前記第２歯車に対して偏心して駆動されるスライダと、
前記第２歯車に対して偏心して駆動されるカウンタウェイトと、
前記第２歯車を回転可能に支持する軸受と、
を有しており、
前記軸受と前記第２歯車の間に、前記カウンタウェイトが配置されている
ことを特徴とする電動工具。
【請求項２】
モータと、
前記モータにより駆動される第１歯車と、
前記第１歯車と噛み合う第２歯車と、
前記第２歯車に対して偏心して駆動されるスライダと、
前記第２歯車に対して偏心して駆動されるカウンタウェイトと、
前記第２歯車を回転可能に支持する軸受と、
を有しており、
前記軸受と前記カウンタウェイトの間に、前記スライダが配置されている
ことを特徴とする電動工具。
【請求項３】
モータと、
前記モータにより駆動される第１歯車と、
前記第１歯車と噛み合う第２歯車と、
前記第２歯車に対して偏心して駆動されるスライダと、
前記第２歯車に対して偏心して駆動される第１カウンタウェイトと、
前記第２歯車に対して偏心して駆動される第２カウンタウェイトと、
前記第２歯車を回転可能に支持する軸受と、
を有しており、
前記軸受と前記スライダの間に、前記第１カウンタウェイトが配置されており、
前記第１カウンタウェイトと第２カウンタウェイトの間に、前記スライダが配置されている
ことを特徴とする電動工具。
【請求項４】
ピンを介して前記第２歯車とつながるクランクを有しており、
前記第１カウンタウェイトは、前記第２歯車と接続されており、
前記第２カウンタウェイトは、前記クランクと接続されている
ことを特徴とする請求項３に記載の電動工具。
【請求項５】
前記カウンタウェイトに接触可能なカウンタウェイトガイドが設けられている
ことを特徴とする請求項１ないし請求項４の何れかに記載の電動工具。
【発明の詳細な説明】
【技術分野】
【０００１】
本発明は、ブレードを往復動させて被加工材を切断する往復動切断工具を始めとする、往復動する出力部を有する電動工具に関する。
【背景技術】
【０００２】
下記特許文献１に示されるように、ブレードを取り付けたロッドを往復動させて切断作業を行うレシプロソーが知られている。
このレシプロソーでは、電動モータから出力される回転運動が往復動機構によりロッドの往復動に変換される。
【先行技術文献】
【特許文献】
【０００３】
【特許文献１】特開２００２−３７０１２３号公報
【発明の概要】
【発明が解決しようとする課題】
【０００４】
特許文献１のレシプロソーは、往復動機構を有するので、ブレードを往復動させて切断作業を行えるものの、切断作業時に振動が発生する。振動が発生しても、振動を想定した作業が行えるが、振動が抑制されれば、作業がより一層行い易くなる。
そこで、本発明は、往復動する出力部を有しながら、振動を抑制することが可能である電動工具を提供することを主な目的とするものである。
【課題を解決するための手段】
【０００５】
上記目的を達成するために、請求項１に記載の発明は、モータと、前記モータにより駆動される第１歯車と、前記第１歯車と噛み合う第２歯車と、前記第２歯車に対して偏心して駆動されるスライダと、前記第２歯車に対して偏心して駆動されるカウンタウェイトと、前記第２歯車を回転可能に支持する軸受と、を有しており、前記軸受と前記第２歯車の間に、前記カウンタウェイトが配置されていることを特徴とするものである。
上記目的を達成するために、請求項２に記載の発明は、モータと、前記モータにより駆動される第１歯車と、前記第１歯車と噛み合う第２歯車と、前記第２歯車に対して偏心して駆動されるスライダと、前記第２歯車に対して偏心して駆動されるカウンタウェイトと、前記第２歯車を回転可能に支持する軸受と、を有しており、前記軸受と前記カウンタウェイトの間に、前記スライダが配置されていることを特徴とするものである。
上記目的を達成するために、請求項３に記載の発明は、モータと、前記モータにより駆動される第１歯車と、前記第１歯車と噛み合う第２歯車と、前記第２歯車に対して偏心して駆動されるスライダと、前記第２歯車に対して偏心して駆動される第１カウンタウェイトと、前記第２歯車に対して偏心して駆動される第２カウンタウェイトと、前記第２歯車を回転可能に支持する軸受と、を有しており、前記軸受と前記スライダの間に、前記第１カウンタウェイトが配置されており、前記第１カウンタウェイトと第２カウンタウェイトの間に、前記スライダが配置されていることを特徴とするものである。
請求項４に記載の発明は、上記目的に加え、確実な作動を確保しながらバランスの取れた配置をシンプルに実現して防振性や耐久性を一層向上する目的を達成するため、上記発明において、ピンを介して前記第２歯車とつながるクランクを有しており、前記第１カウンタウェイトは、前記第２歯車と接続されており、前記第２カウンタウェイトは、前記クランクと接続されていることを特徴とするものである。
請求項５に記載の発明は、上記目的に加え、シンプルな構成によってカウンタウェイトの動作をより確実なものとして、防振性や耐久性を一層向上する目的を達成するため、上記発明において、前記カウンタウェイトに接触可能なカウンタウェイトガイドが設けられていることを特徴とするものである。
【発明の効果】
【０００６】
本発明によれば、往復動する出力部を有しながら、振動を抑制することが可能である電動工具を提供することが可能となる、という効果を奏する。
【図面の簡単な説明】
【０００７】
【図１】本発明に係るレシプロソーの一部中央縦断面図である。
【図２】図１のＡ−Ａ線一部断面図である。
【図３】図１のＢ−Ｂ線一部断面図である。
【図４】図１の前部の一部省略斜視図である。
【図５】図１の前部の一部省略斜視図である。
【図６】図１の前部の一部省略斜視図である。
【発明を実施するための形態】
【０００８】
以下、本発明の実施の形態やその変更例を、適宜図面に基づいて説明する。
当該形態は、電動工具の一例としての往復動切断工具に係るものであり、より具体的にはレシプロソーに係るものである。
尚、本発明は、当該形態や変更例に限定されない。
【０００９】
図１はレシプロソー１の一部中央断面図であり、図２は図１のＡ−Ａ線一部断面図であり、図３は図１のＢ−Ｂ線一部断面図（一部省略）である。又、図４，図５，図６はレシプロソー１の前部の一部省略斜視図（図４では後述の前ハウジング２２及び前右内側ハウジング４８ｂ等を省略，図５では更に後述の右クランクベアリング５４及び右カウンタウェイトガイド８６等を省略，図６では更に後述の右カウンタウェイト８２及び右クランク５２等を省略）である。尚、図１，図２の右がレシプロソー１の前であり、図１，図３の上がレシプロソー１の上であり、図２の上や図３の右がレシプロソー１の左である。各方向は、説明の便宜上定めたものであり、実際には被加工材や作業者の向き等により変化することがある。
レシプロソー１は、動力部２と、往復動変換部としての動力伝達部４と、動力伝達部４につながる出力部としてのロッド６と、ロッド６に組み合わせられるカウンタウェイト機構８と、これらを収めるハウジング１０と、ハウジング１０の前端部から突き出されたガイドシュー１２と、ハウジング１０の後下部に取り付けられるバッテリＶを有する。
【００１０】
ハウジング１０は、動力部２を収める本体ハウジング２０と、本体ハウジング２０の前側において動力伝達部４やロッド６、カウンタウェイト機構８を収める前ハウジング２２を含む。
本体ハウジング２０は、前部と後部で分離され、更に後部のみ左右に分離されている。本体ハウジング２０の前部は、筒状の前本体ハウジング２０ａであり、本体ハウジング２０の後部左は、後左本体ハウジング２０ｂであり、本体ハウジング２０の後部右は、後右本体ハウジング２０ｃである。これらは、前本体ハウジング２０ａの後端部を、後左本体ハウジング２０ｂと後右本体ハウジング２０ｃの前端部に合わせた状態で、後左本体ハウジング２０ｂと後右本体ハウジング２０ｃに対しネジ２４，２４・・を左右方向に通すことで、互いに組み合っている。
本体ハウジング２０の後部は、ループ状に形成されており、ループの後部は、上下方向に延びるハンドル部２６とされている。ハンドル部２６の前側には、トリガ形式のスイッチ２８が配置されている。
前ハウジング２２は、左右で分離され、前左ハウジング２２ａと前右ハウジング２２ｂを備えている。前左ハウジング２２ａと前右ハウジング２２ｂは、前本体ハウジング２０ａの前端部を挟んだ状態で、左右方向の複数のネジ３０，３０・・により互いに固定されている。
尚、後述の前左内側ハウジング４８ａや前右内側ハウジング４８ｂ、あるいはベースプレート４８ｃも、動力伝達部４やロッド６、カウンタウェイト機構８を収めるハウジング１０としての機能を有する。
【００１１】
動力部２は、電動のモータ（図示せず）を有する。モータは、第１歯車としての回転駆動軸４２を駆動する。回転駆動軸４２は、前後方向に沿っており、モータの前側に配置されている。回転駆動軸４２の先端部の周囲には、歯が形成されている。
モータは、本体ハウジング２０後下部におけるバッテリＶの取付部及びハンドル２６のスイッチ２８と電気的に接続されており、又バッテリＶはその取付部において電気的な接続も為されるように取り付けられる。モータは、スイッチ２８がＯＮに切換えられる（トリガが引かれる）ことで、バッテリＶから給電される。
回転駆動軸４２の後部外側には、ファン４４が配置されている。ファン４４は、回転駆動軸４２に固定されている。
前左ハウジング２２ａの後端部と前右ハウジング２２ｂの後端部における、ファン４４の放射方向外側の各所（ファン４４の左方及び右方）には、ファン４４の排気を通す排気口４５，４５・・が設けられている。各排気口４５は、複数のスリットが並べられることで形成されている。
ファン４４の前方であって、回転駆動軸４２の周りには、軸受４６が配置されている。軸受４６は、回転駆動軸４２を回転可能に受け入れており、前左ハウジング２２ａの内側に設けられた前左内側ハウジング４８ａの後端部と、前右ハウジング２２ｂの内側に設けられた前右内側ハウジング４８ｂの後端部に挟まれることで固定されている。
前左内側ハウジング４８ａや前右内側ハウジング４８ｂの前下部と、前左ハウジング２２ａや前右ハウジング２２ｂの前下部の間には、水平なベースプレート４８ｃが固定されている。ベースプレート４８ｃは、前左内側ハウジング４８ａや前右内側ハウジング４８ｂに対し、ネジ４９，４９により取り付けられている。ベースプレート４８ｃは、水平な上面を有しており、下部には外方（放射方向）に突出する複数のリブ４８ｄ，４８ｄ・・を有している。
【００１２】
動力伝達部４は、回転駆動軸４２先端部の歯に噛み合う傘歯を有する、前後上下に広がる円盤状の左クランク５０と、左クランク５０と同様の形状（但し傘歯を有さない）であり前後上下に広がる面に対して対称的に配置される右クランク５２と、左クランク５０，右クランク５２を左右方向の軸周りで回転可能に受け入れる左クランクベアリング５４，右クランクベアリング５５と、左クランク５０及び右クランク５２の内側面の周縁部をつなぐように取り付けられるガイドローラ５６と、ガイドローラ５６を上下に往復移動可能に受け入れるスライダ５８を備えている。
尚、スライダ５８は、動力伝達部４の構成要素ではなく、出力部（ロッド６）の構成要素として扱うことができる。
【００１３】
第２歯車としての左クランク５０は、回転駆動軸４２の先端部の左前方に配置されており、傘歯を有する最も内側の傘部５０ａと、傘部５０ａの外側の面の中央から偏心して円盤状に外方へ突出した偏心部５０ｂと、偏心部５０ｂの外側の面から円柱状に外方へ突出した軸部５０ｃを有する。傘部５０ａは、前後上下に広がる円盤状の部分であり、内側の外周部に勾配が付与されている。軸部５０ｃは、傘部５０ａと同心である。
左クランク５０の径（歯数）は、モータの回転駆動軸４２の径（歯数）より大きいので、回転駆動軸４２の回転は左クランク５０により減速される。
右クランク５２は、回転駆動軸４２の先端部の右前方に配置されており、最も内側のベース部５２ａと、ベース部５２ａから偏心して突出した偏心部５２ｂと、偏心部５２ｂから外方へ突出した軸部５２ｃを有する。ベース部５２ａは、傘部５０ａと異なり、傘歯を備えず、外周部の勾配を有さない。偏心部５２ｂや軸部５２ｃは、左クランク５０の偏心部５０ｂや軸部５０ｃと同様である。偏心部５０ｂ，５２ｂの偏心位置は、揃えられている。
軸受としての左クランクベアリング５４は、左クランク５０の軸部５０ｃを回転可能に支持し、右クランクベアリング５５は、右クランク５２の軸部５２ｃを受け入れる。左クランクベアリング５４は、前左内側ハウジング４８ａの中央部に固定され、右クランクベアリング５５は、前右内側ハウジング４８ｂの中央部に固定される。
左クランクベアリング５４の外側には、その内輪を固定する板状のベアリング止め５９ａが配置されている。ベアリング止め５９ａは、ナベ小ネジ６０ａにより軸部５０ｃの中央に対して固定されている。同様に、右クランクベアリング５５の外側には、ベアリング止め５９ｂとナベ小ネジ６０ｂが配置されている。
ベアリング止め５９ａやナベ小ネジ６０ａの外方には、左クランクベアリング５４の外輪を押える碗状のベアリングリテーナ６１ａが、ベアリング止め５９ａやナベ小ネジ６０ａを覆うように設けられている。ベアリングリテーナ６１ａは、左クランクベアリング５４の外輪と前左内側ハウジング４８ａを内方へ押える平板部を有している。同様に、右クランクベアリング５５の外輪を押える碗状のベアリングリテーナ６１ｂが設けられている。
【００１４】
ガイドローラ５６は、左クランク５０や右クランク５２の回転中心に対して偏心した位置に取り付けられており、その偏心位置は、偏心部５０ｂ，５２ｂの偏心位置と逆に（１８０°異なるように）配置されている。
ガイドローラ５６は、左クランク５０と右クランク５２の間に渡された短軸状のピン６２に回転可能に支持されており、左右方向のピン６２周りで回転可能である。
スライダ５８は、前後上下に広がる板状の部材であり、後部において上下方向に延びる長孔部５８ａを有している。長孔部５８ａには、ガイドローラ５６が入っている。ガイドローラ５６は、スライダ５８の長孔部５８ａにおいて自転することにより、当該長孔部５８ａに沿って移動可能である。
左クランク５０が回転してガイドローラ５６が変位（公転）すると、ガイドローラ５６の前後方向の変位成分がスライダ５８に伝達される。よって、スライダ５８は、ガイドローラ５６を介し前後に往復動する。尚、ガイドローラ５６の公転における上下方向の変位成分は、ガイドローラ５６がスライダ５８内で自転し上下に往復することにより、スライダ５８には伝達されない。
又、左クランク５０の回転は、ピン６２により右クランク５２にそのまま伝わり、右クランク５２は左クランク５０と共に回転する。
【００１５】
ロッド６は、前後に延びる部材であり、その前端部には、ブレード取付部７０が設けられている。ブレード取付部７０は、これより後側の丸棒状のロッド基部７１に対して、上下左右に膨らんでいる。ブレード取付部７０には、図示しないブレードが取り付けられる。
ロッド基部７１外側には、ロッドガイド７２が配置されている。ロッドガイド７２は、ロッド基部７１を受け入れる、ロッド基部７１と同径の前後方向の孔を有している。
ロッドガイド７２は、前左内側ハウジング４８ａと前右内側ハウジング４８ｂに対して固定されている。
ロッドガイド７２の前部内には、輪状の第１シールリング７４ａ及び第２シールリング７４ｂが入れられている。第１シールリング７４ａ及び第２シールリング７４ｂは、内部に粉塵が入り込まないようにするためのシール部材であって、弾性体であり、輪の孔において、ロッド基部７１に対しその前後動を許容する状態で接触している。第２シールリング７４ｂは、前左内側ハウジング４８ａや前右内側ハウジング４８ｂと、第１シールリング７４ａの間に配置されており、第１シールリング７４ａは、第２シールリング７４ｂと、前左内側ハウジング４８ａや前右内側ハウジング４８ｂないしシール押え部材７４ｃの間に配置されている。
ロッド６は、ロッドガイド７２（並びに第１シールリング７４ａ及び第２シールリング７４ｂ）に案内され、前後方向で移動可能である。
ロッド基部７１の後端部は、スライダ５８の前端部に対して固定されており、ロッド６は、スライダ５８が受け入れたガイドローラ５６により、前後に往復動される。
ブレードは、ガイドシュー１２を通る。ガイドシュー１２は、加工物に接触可能なシュープレート７７と、シュープレート７７とベースプレート４８ｃの間に配置されるシューサポータ７８を有する。シュープレート７７は、シューサポータ７８の前端部に対し、左右方向の軸７９を介して取り付けられており、軸７９の周りで回転可能である。
【００１６】
カウンタウェイト機構８は、左カウンタウェイト８０及び右カウンタウェイト８２と、左カウンタウェイトガイド８４及び右カウンタウェイトガイド８６を含む。尚、左カウンタウェイトガイド８４及び右カウンタウェイトガイド８６は、ハウジングに属するものとすることもできる。
左カウンタウェイト８０は、前後上下に広がる金属製の板状の部材であり、後部において上下に長い楕円状の孔８０ａを有する。孔８０ａには、左クランク５０の偏心部５０ｂが入っている。
又、右カウンタウェイト８２は、左カウンタウェイト８０と同様に成り、偏心部５２ｂを受け入れる孔８２ａを有している。
左カウンタウェイト８０は、左クランク５０が回転すると、偏心部５０ｂから孔８０ａに対し力の作用を受け、前後に往復動する。ロッド６の前後動と左カウンタウェイト８０の前後動は互いに逆の位相であり（位相が１８０°異なり）、ロッド６が前進すると左カウンタウェイト８０は後退し、ロッド６が後退すると左カウンタウェイト８０は前進する。尚、偏心部５０ｂの回転に係る上下方向の成分は、偏心部５０ｂが上下方向においては孔８０ａ内を往復移動するために、左カウンタウェイト８０に作用しない。偏心部５０ｂは、孔８０ａ内をスライドする。
又、右カウンタウェイト８２は、右クランク５２の回転により、左カウンタウェイト８０と同様に前後動する。右クランク５２は左クランク５０と同様に回転するため、右カウンタウェイト８２の回転は左カウンタウェイト８０の回転と同位相である。
左カウンタウェイトガイド８４は、折り曲げた板状の部材であり、前左ハウジング２２ａに固定（ネジ止め）されている。左カウンタウェイトガイド８４は、前後上下に広がる左ガイド基部８４ａと、左ガイド基部８４ａの上辺や下辺から内方へ向けて水平に起立する左ガイドサポート部８４ｂ，８４ｂ・・と、左ガイド基部８４ａの後部において開けられた円状の左孔部８４ｃを有する。左ガイド基部８４ａは、左カウンタウェイト８０の外面に接触可能であり、左ガイドサポート部８４ｂ，８４ｂ・・は、左カウンタウェイト８０の上面又は下面に接触可能である。左孔部８４ｃには、左クランクベアリング５４等が入り、左孔部８４ｃは、左クランクベアリング５４等との干渉を回避する。
又、右カウンタウェイトガイド８６は、左カウンタウェイトガイド８４と同様に成り、右ガイド基部８６ａと、右ガイドサポート部８６ｂ，８６ｂ・・と、右孔部８６ｃを備えている。右カウンタウェイトガイド８６は、前右ハウジング２２ｂに固定されている。
左カウンタウェイトガイド８４は、左カウンタウェイト８０を前後方向に案内してその移動を前後方向に規制し、右カウンタウェイトガイド８６は、右カウンタウェイト８２を前後方向に案内する。
【００１７】
このようなレシプロソー１の動作例を説明する。
作業者は、停止状態のロッド６にブレードを鋸歯が前となるようにセットし、被加工材にガイドシュー１２のシュープレート７７前部を当てる。そして、蓄電されたバッテリＶを取り付けた状態で、ハンドル部２６を把持し、スイッチ２８をオンにすると、モータへの給電がなされて回転駆動軸４２が回転し、左クランク５０が回転してピン６２ないしガイドローラ５６が公転する。ここで、左クランク５０の回転は、ピン６２を通じて右クランク５２に伝わり、右クランク５２は左クランク５０と同様に回転する。
ガイドローラ５６の公転により、スライダ５８を介して、ロッド６が前後動する。ガイドローラ５６は、スライダ５８の長孔部５８ａ内で自転もする。
【００１８】
又、ロッド６は、これと対称的に前後動する両脇の左カウンタウェイト８０及び右カウンタウェイト８２により、振動が抑制された状態で前後動する。
カウンタウェイト機構８は、左カウンタウェイト８０及び右カウンタウェイト８２の、ロッド６と対称的な往復動を行う。左カウンタウェイト８０及び右カウンタウェイト８２は、前後動の際、左カウンタウェイトガイド８４及び右カウンタウェイトガイド８６に接触し、前後方向に案内される。
ロッド６が前方へ動くと（図１〜６）、左クランク５０及び右クランク５２の偏心部５０ｂ，５２ｂが後方に位置して、左カウンタウェイト８０及び右カウンタウェイト８２の孔８０ａ，８２ａが後方に動き、左カウンタウェイト８０及び右カウンタウェイト８２が後方へ動く。
ロッド６が後方へ動くと、左クランク５０及び右クランク５２の偏心部５０ｂ，５２ｂが前方に位置して、左カウンタウェイト８０及び右カウンタウェイト８２の孔８０ａ，８２ａが前方に動き、左カウンタウェイト８０及び右カウンタウェイト８２が前方へ動く。
左カウンタウェイト８０及び右カウンタウェイト８２は、互いに同等な重量を有しており、又左右方向においてロッド６（スライダ５８）を中心として対称的に配置されているので、バランスを確保して防振性を向上することが可能である。
【００１９】
ロッド６ないしブレードの作動状態で、作業者がハンドル部２６を押していくと、前後動するブレード前辺の鋸歯が被加工材に当たり、上下方向を切断方向として被加工材が切断されていく。
作業者がスイッチ２８をオフにすると、モータの回転駆動軸４２が停止して、各種の前後動が停止する。
【００２０】
以上のレシプロソー１は、モータと、前記モータにより駆動される回転駆動軸４２と、回転駆動軸４２と噛み合う左クランク５０と、左クランク５０に対して偏心して駆動されるスライダ５８と、左クランク５０に対して偏心して駆動される左カウンタウェイト８０と、左クランク５０を回転可能に支持する左クランクベアリング５４と、を有しており、左クランクベアリング５４と左クランク５０の間に、左カウンタウェイト８０が配置されている。よって、左カウンタウェイト８０の往復動を安定させてロッド６の振動を抑制することができる。
更に、モータと、モータにより駆動される回転駆動軸４２と、回転駆動軸４２と噛み合う左クランク５０と、左クランク５０に対して偏心して駆動されるスライダ５８と、左クランク５０に対して偏心して駆動される左カウンタウェイト８０と、左クランク５０に対して偏心して駆動される右カウンタウェイト８２と、左クランク５０を回転可能に支持する左クランクベアリング５４と、を有しており、左クランクベアリング５４とスライダ５８の間に、左カウンタウェイト８０が配置されており、左カウンタウェイト８０と右カウンタウェイト８２の間に、スライダ５８が配置されている。従って、ロッド６につながるスライダ５８の両脇に左カウンタウェイト８０と右カウンタウェイト８２を配置することができ、前後のみならず左右にもバランスの取れた状態で左カウンタウェイト８０と右カウンタウェイト８２を作動させることができ、ロッド６の振動を充分に抑制することができる。
又、ピン６２を介して左クランク５０とつながる右クランク５２を有しており、左カウンタウェイト８０は、左クランク５０と接続されており、右カウンタウェイト８２は、右クランク５２と接続されている。よって、各種部材につき確実な作動を確保しながらバランスの取れた配置をシンプルに実現することができる。
加えて、左カウンタウェイト８０（右カウンタウェイト８２）に接触可能な左カウンタウェイトガイド８４（右カウンタウェイトガイド８６）が設けられている。従って、左カウンタウェイト８０（右カウンタウェイト８２）の往復動を左カウンタウェイトガイド８４（右カウンタウェイトガイド８６）に沿ったものとすることができ、左カウンタウェイト８０（右カウンタウェイト８２）の往復動の方向を安定させて、ロッド６の振動を充分に抑制することができる。
【００２１】
尚、本発明は上記形態に限定されず、例えば次のような変更を適宜施すことができる。
左クランクベアリングと左カウンタウェイトの間に、スライダを配置しても良い。
即ち、モータと、モータにより駆動される回転駆動軸と、回転駆動軸と噛み合う左クランクと、左クランクに対して偏心して駆動されるスライダと、左クランクに対して偏心して駆動される左カウンタウェイトと、左クランクを回転可能に支持する左クランクベアリングと、を有しており、左クランクベアリングと左カウンタウェイトの間に、スライダが配置されているようにしても良い。
この場合であっても、スライダや左カウンタウェイトの往復動を安定させ、ロッドの振動を抑制することができる。
【００２２】
右クランクに歯を形成して右クランクを第２歯車とし、左クランクと接続しても良いし、双方のクランクに歯を形成しても良いし、双方のクランクに噛み合う歯車によって互いに接続しても良い。
スライダやロッドに対して２つのクランクをそれぞれ水平な状態で上下に配置し、これらに対してそれぞれ水平なカウンタウェイトを組み合わせ、カウンタウェイトをスライダやロッドの上下で前後動するようにしても良い。
上下方向のハンドル部に対して、スライダないしロッドやカウンタウェイトの往復動を上下方向としても良い。
往復動変換部において、ギヤの形式を変更しても良いし、ギヤの数を変更しても良いし、クランク以外の他の構成を採用したものとしても良い。
カウンタウェイト機構において、カウンタウェイトを１個あるいは３個以上としたり、クランクに代えて連結ロッドを採用したりする等、他の構成によってカウンタウェイトをロッドないしスライダと逆位相で往復動させて良い。
カウンタウェイトの形状を全体的に棒状とし、カウンタウェイトガイドのガイド面形状を妨害面に対応するものとする等、各種部材の形状を変更することができる。又、１個のカウンタウェイトに対して２個のカウンタウェイトガイドを設けたり、本体ハウジングの後部左と後部右を一体としたり、本体ハウジングの前部を前部左と前部右に分離したりする等、各種部材の個数や配置等を変更することもできる。更に、ネジ止めによる固定に代えて、爪部と係止部による固定とする等、各種の部材について同機能を有する別の構成の部材に変更することもできる。
ブレードにつき、鋸歯以外の刃を有するものとして良い。
バッテリによる給電に代えて、電源コードによる給電として良い。
本発明は、レシプロソー以外の往復動切断工具に適用することができるし、往復動切断工具以外の電動工具に適用することもできる。
【符号の説明】
【００２３】
１・・レシプロソー（往復動切断工具、電動工具）、４２・・（モータの）回転駆動軸（第１歯車）、５０・・左クランク（第２歯車）、５２・・右クランク（クランク）、５４・・左クランクベアリング（軸受）、５８・・スライダ、６２・・ピン、８０・・左カウンタウェイト（カウンタウェイト、第１カウンタウェイト）、８２・・右カウンタウェイト（カウンタウェイト、第２カウンタウェイト）、８４・・左カウンタウェイトガイド（カウンタウェイトガイド）、８６・・右カウンタウェイトガイド（カウンタウェイトガイド）。
【図１】
2015199167.tif 000003
【図２】
2015199167.tif 000004
【図３】
2015199167.tif 000005
【図４】
2015199167.tif 000006
【図５】
2015199167.tif 000007
【図６】
2015199167.tif 000008